(57)【要約】【課題】複合機におけるログアウト時の最終表示画面に応じて初期表示画面を変更することで、ログイン時の初期表示画面を最適化し、ユーザの利便性を向上させることができるようにする。【解決手段】複合機は、ログアウト時の最終表示画面が次回ログイン時の初期表示画面として利用できるか否かを判断する（Ｓ２３）。そしてログアウト時の最終表示画面が次のログイン時の初期表示画面として利用できない場合には、ログアウト時の最終表示画面を特定する情報ではなく、所定の画面情報を設定して（Ｓ２４）、認証サーバに送信する（Ｓ２５）。認証サーバでは、複合機１から通知された最終表示画面を特定する情報を管理しておき、次回、ユーザが複合機でログインしたときに、そのユーザの最終表示画面情報を複合機に通知し、その画面を複合機で表示させる。【選択図】図８
2011049850.tif 000002
【特許請求の範囲】
【請求項１】
複合機と、該複合機と通信可能に接続され、前記複合機に入力されたログイン情報の認証を行う認証サーバとからなる認証システムにおいて、
前記複合機がログイン時に初期表示可能な画面を特定する情報を予め記憶する初期表示画面記憶手段と、
前記複合機の最終表示画面を特定する情報と、前記初期表示画面記憶手段に記憶した情報とを比較し、前記最終表示画面を特定する情報が、ログイン時の初期表示画面を特定する情報として適しているか否かを判断する判断手段と、を有し、
該判断手段によって前記複合機のログアウト時の最終表示画面が前記初期表示画面として適さないと判断した場合には、所定の条件に従う他の画面を前記複合機に表示させることを特徴とする認証システム。
【請求項２】
請求項１に記載の認証システムにおいて、
前記認証サーバは、
前記複合機から通知された該複合機におけるログアウト時の最終表示画面を特定する情報を記憶する記憶手段と、
前記複合機がログインした後の初期表示画面を指示する初期モード設定情報を前記複合機に通知する手段とを有し、
前記初期モード設定情報は、前記最終表示画面を特定する情報と、該最終表示画面を前記初期表示画面として表示することを指示する情報とを含み、
前記複合機は、
該複合機のログアウト時の最終表示画面を特定する情報を前記認証サーバに通知する手段と、
前記認証サーバから受信した前記初期モード設定情報に基づいて、ログイン後の初期表示画面として前記最終表示画面を表示する制御を行う制御手段と、
前記初期表示画面記憶手段と、
前記判断手段と、を有し、
該判断手段は、前記ログアウト時の最終表示画面を特定する情報と、前記初期表示画面記憶手段に記憶した情報と比較し、前記最終表示画面を特定する情報が、次回のログイン時の初期表示画面を特定する情報として適しているか否かを判断するものであって、
該判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記認証サーバに通知することを特徴とする認証システム。
【請求項３】
請求項２に記載の認証システムにおいて、
前記所定の条件に従う他の画面は、前記ログアウト時の最終表示画面が前記初期表示画面を特定する情報として適さないと判断した場合に初期表示画面として表示するために予め定められた画面であることを特徴とする認証システム。
【請求項４】
請求項２に記載の認証システムにおいて、
前記複合機は、所定の操作に従って階層構造をもつ画面の階層間の表示変更を可能とし、
前記ログアウト時の最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、
前記所定の条件に従う他の画面は、前記最終表示画面の上位階層の画面のうち、前記最終表示画面に最も近い階層の画面であることを特徴とする認証システム。
【請求項５】
請求項１に記載の認証システムにおいて、
前記認証サーバは、
前記複合機から通知された該複合機におけるログアウト時の最終表示画面を特定する情報を記憶する記憶手段と、
前記複合機がログインした後の初期表示画面を指示する初期モード設定情報を前記複合機に通知する手段とを有し、
前記初期モード設定情報は、前記最終表示画面を特定する情報と、該最終表示画面を前記初期表示画面として表示することを指示する情報とを含み、
前記複合機は、
該複合機のログアウト時の最終表示画面を特定する情報を前記認証サーバに通知する手段と、
前記認証サーバから受信した前記初期モード設定情報に基づいて、ログイン後の初期表示画面として前記最終表示画面を表示する制御を行う制御手段と、
前記初期表示画面記憶手段と、
前記判断手段と、を有し、
該判断手段は、前記初期モード設定情報に含まれる最終表示画面を特定する情報と、前記初期表示画面記憶手段に記憶した情報とを比較し、前記最終表示画面を特定する情報が、ログイン時の初期表示画面を特定する情報として適しているか否かを判断するものであって、
該判断手段によって前記初期モード設定情報に含まれる最終表示画面を特定する情報が前記初期表示画面を特定する情報として適さないと判断した場合には、前記初期モード設定情報で指定された最終表示画面ではなく、所定の条件に従う他の画面を、前記ログイン時の初期表示画面として表示することを特徴とする認証システム。
【請求項６】
請求項５に記載の認証システムにおいて、
前記所定の条件に従う他の画面は、前記初期モード設定情報に含まれる最終表示画面を特定する情報が前記初期表示画面を特定する情報として適さないと判断した場合に、初期表示画面として表示するために予め定められた画面であることを特徴とする認証システム。
【請求項７】
請求項５に記載の認証システムにおいて、
前記複合機は、所定の操作に従って階層構造をもつ画面の階層間の表示変更を可能とし、
前記初期モード設定情報に含まれる最終表示画面を特定する情報が前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴とする認証システム。
【請求項８】
請求項１に記載の認証システムにおいて、
前記複合機は、
該複合機のログアウト時の最終表示画面を特定する情報を前記認証サーバに通知する手段と、
前記認証サーバから受信した前記初期モード設定情報に基づいて、ログイン後の初期表示画面として前記最終表示画面を表示する制御を行う制御手段とを有し、
前記認証サーバは、
前記複合機から通知された該複合機におけるログアウト時の最終表示画面を特定する情報を記憶する記憶手段と、
前記最終表示画面を特定する情報と、該最終表示画面を前記初期表示画面として表示することを指示する情報とを含む初期モード設定情報を前記複合機に通知する手段と、
前記初期表示画面記憶手段と、
前記判断手段と、を有し、
該判断手段は、前記ログアウト時の最終表示画面を特定する情報と、前記初期表示画面記憶手段に記憶した情報とを比較し、前記最終表示画面を特定する情報が、次回ログイン時の初期表示画面を特定する情報として適しているか否かを判断するものであって、
該判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記初期モード設定情報に含めて前記複合機に送信することを特徴とする認証システム。
【請求項９】
請求項８に記載の認証システムにおいて、
前記所定の条件に従う他の画面は、前記複合機から送信されたログアウト時の最終表示画面が前記初期表示画面を特定する情報として適さないと判断した場合に初期表示画面として表示するために予め定められた画面であることを特徴とする認証システム。
【請求項１０】
請求項８に記載の認証システムにおいて、
前記複合機は、所定の操作に従って階層構造をもつ画面の階層間の表示変更を可能とし、
前記複合機から送信されたログアウト時の最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、
前記所定の条件に従う他の画面は、前記最終表示画面の上位階層の画面のうち、前記最終表示画面に最も近い階層の画面であることを特徴とする認証システム。
【請求項１１】
請求項２〜１０のいずれか１に記載の認証システムにおいて、
前記認証サーバは、前記ログアウト時の最終表示画面を特定する情報を、複合機固有の機器情報に関連付けて前記記憶手段に記憶し、
前記初期モード設定情報を前記複合機に通知する手段は、前記複合機固有の機器情報に該当する初期モード設定情報を前記複合機に通知することを特徴とする認証システム。
【請求項１２】
請求項２〜１０のいずれか１に記載の認証システムにおいて、
前記認証サーバは、前記ログアウト時の最終表示画面を特定する情報に関連付けて、前記複合機の機種情報を前記記憶部に記憶し、
前記前記初期モード設定情報を前記複合機に通知する手段は、前記機種情報が一致する複合機に対して前記初期モード設定情報を通知することを特徴とする認証システム。
【請求項１３】
請求項２〜１０のいずれか１に記載の認証システムにおいて、
前記認証サーバは、前記ログアウト時の最終表示画面を特定する情報に関連付けて、前記複合機の設定情報を前記記憶部に記憶し、
前記前記初期モード設定情報を前記複合機に通知する手段は、前記初期モード設定情報とともに前記設定情報を前記複合機に通知することを特徴とする認証システム。
【請求項１４】
複合機に入力されたログイン情報の認証を行う認証サーバに接続される複合機において、該複合機のログアウト時の最終表示画面を特定する情報を前記認証サーバに通知する手段と、
前記最終表示画面を特定する情報と該最終表示画面を前記初期表示画面として表示することを指示する情報とを含む初期モード設定情報を前記認証サーバから受信し、該受信した前記初期モード設定情報に基づいて、ログイン後の初期表示画面として前記最終表示画面を表示する制御を行う制御手段と、
ログイン時に初期表示可能な画面を特定する情報を予め記憶する初期表示画面記憶手段と、
前記複合機の最終表示画面を特定する情報と、前記初期表示画面記憶手段に記憶した情報とを比較し、前記最終表示画面を特定する情報が、ログイン時の初期表示画面を特定する情報として適しているか否かを判断する判断手段と、を有し、
前記判断手段によって前記ログアウト時の最終表示画面が前記初期表示画面として適さないと判断した場合には、所定の条件に従う他の画面を表示することを特徴とする複合機。
【請求項１５】
請求項１４に記載の複合機において、
前記判断手段は、前記ログアウト時の最終表示画面を特定する情報と、前記初期表示画面記憶手段に記憶した情報とを比較し、前記最終表示画面を特定する情報が、次回ログイン時の初期表示画面を特定する情報として適しているか否かを判断するものであって、
前記判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記認証サーバに通知することを特徴とする複合機。
【請求項１６】
請求項１５に記載の複合機において、
前記所定の条件に従う他の画面は、前記ログアウト時の最終表示画面が前記初期表示画面を特定する情報として適さないと判断した場合に初期表示画面として表示するために予め定められた画面であることを特徴とする複合機。
【請求項１７】
請求項１５に記載の複合機において、
該複合機は、所定の操作に従って階層構造をもつ画面の階層間の表示変更を可能とし、
前記ログアウト時の最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、
前記所定の条件に従う他の画面は、前記最終表示画面の上位階層の画面のうち、前記最終表示画面に最も近い階層の画面であることを特徴とする複合機。
【請求項１８】
請求項１４に記載の複合機において、
前記判断手段は、前記初期モード設定情報に含まれる最終表示画面を特定する情報と、前記初期表示画面記憶手段に記憶した情報とを比較し、前記最終表示画面を特定する情報が、ログイン時の初期表示画面を特定する情報として適しているか否かを判断するものであって、
前記判断手段によって前記初期モード設定情報に含まれる最終表示画面を特定する情報が前記初期表示画面を特定する情報として適さないと判断した場合には、前記初期モード設定情報で指示された最終表示画面ではなく、所定の条件に従う他の画面を、前記ログイン時の初期表示画面として表示することを特徴とする複合機。
【請求項１９】
請求項１８に記載の複合機において、
前記所定の条件に従う他の画面は、前記初期モード設定情報に含まれる最終表示画面を特定する情報が前記初期表示画面を特定する情報として適さないと判断した場合に、初期表示画面として表示するために予め定められた画面であることを特徴とする複合機。
【請求項２０】
請求項１８に記載の複合機において、
前記複合機は、所定の操作に従って階層構造をもつ画面の階層間の表示変更を可能とし、
前記初期モード設定情報に含まれる最終表示画面を特定する情報が前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴とする複合機。
【請求項２１】
複合機と通信可能に接続され、前記複合機に入力されたログイン情報の認証を行う認証サーバにおいて、
前記複合機から通知された該複合機におけるログアウト時の最終表示画面を特定する情報を記憶する記憶手段と、
前記最終表示画面を特定する情報と、該最終表示画面を前記初期表示画面として表示することを指示する情報とを含む初期モード設定情報を前記複合機に通知する手段と、
ログイン時に初期表示可能な画面を特定する情報を予め記憶する初期表示画面記憶手段と、
前記複合機から通知されたログアウト時の最終表示画面を特定する情報と、前記初期表示画面記憶手段に記憶した情報とを比較し、前記最終表示画面を特定する情報が、前記複合機の次回ログイン時の初期表示画面を特定する情報として適しているか否かを判断する判断手段と、を有し、
前記判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記初期モード設定情報に含めて前記複合機に送信することを特徴とする認証サーバ。
【請求項２２】
請求項２１に記載の認証サーバにおいて、
前記所定の条件に従う他の画面は、前記ログアウト時の最終表示画面が前記初期表示画面を特定する情報として適さないと判断した場合に初期表示画面として表示するために予め定められた画面であることを特徴とする認証サーバ。
【請求項２３】
請求項２１に記載の認証サーバにおいて、
前記複合機は、所定の操作に従って階層構造をもつ画面の階層間の表示変更が可能であって、
前記ログアウト時に表示していた前記最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、
前記所定の条件に従う他の画面は、前記最終表示画面の上位階層の画面のうち、前記最終表示画面に最も近い階層の画面であることを特徴とする認証サーバ。
【請求項２４】
請求項２１〜２３のいずれか１に記載の認証サーバにおいて、
前記ログアウト時の最終表示画面を特定する情報を、複合機固有の機器情報に関連付けて前記記憶手段に記憶し、
前記初期モード設定情報を前記複合機に通知する手段は、前記複合機固有の機器情報に該当する初期モード設定情報を前記複合機に通知することを特徴とする認証サーバ。
【請求項２５】
請求項２１〜２３のいずれか１に記載の認証サーバにおいて、
前記ログアウト時の最終表示画面を特定する情報に関連付けて、前記複合機の機種情報を前記記憶部に記憶し、
前記前記初期モード設定情報を前記複合機に通知する手段は、前記機種情報が一致する複合機に対して前記初期モード設定情報を通知することを特徴とする認証サーバ。
【請求項２６】
請求項２１〜２３のいずれか１に記載の認証システムにおいて、
前記ログアウト時の最終表示画面を特定する情報に関連付けて、前記複合機の設定情報を前記記憶部に記憶し、
前記前記初期モード設定情報を前記複合機に通知する手段は、前記初期モード設定情報とともに前記設定情報を前記複合機に通知することを特徴とする認証サーバ。
【発明の詳細な説明】
【技術分野】
【０００１】
本発明は、認証システム、複合機、及び認証サーバに関し、より詳細には、認証サーバと連携してユーザ認証処理を行うことが可能な複合機、その認証サーバ、及びその複合機と認証サーバとアプリケーションサーバとを備えた認証システムに関する。
【背景技術】
【０００２】
ＰＣ上で動作するアプリケーションと複合機の機能とを連携し、複合機がトータルアプリケーションシステムの一部となって動作することができるシステムが考案されている。このシステムを利用することにより、認証・集計といったアカウンティング機能をサーバで一元管理することができる。このようなサーバを以下、認証サーバと呼ぶものとする。
【０００３】
従来、複合機にユーザがログインした後の初期表示画面には、複合機で指定されたデフォルト画面（コピー画面など）が表示されていた。あるいは、複合機に内蔵している認証機能を用いて、ユーザがログアウト時に使用していた画面を、認証完了後の初期表示画面として表示することができた。また、複合機の外部に接続された認証サーバを利用して、ログアウト時に使用していた画面を、認証完了後の初期表示画面として指定可能なシステムも考案されている。
【０００４】
例えば、特許文献１には、ユーザの意に添わない画面が最初に表示される事態を未然に抑制して、ユーザに対する利便性向上に資することを目的とした画像形成装置が開示されている。この画像形成装置には、複数の各ユーザが、ユーザ認証後の所定時間以内に複数の機能を順次選択した際、複数の機能に係る内容及び選択順位がユーザ毎に関連付けて記憶されている。そして、該当ユーザのカスタマイズ情報をカスタマイズ情報記憶部から読み出すにあたり、複数の機能のうち、最初に選択された機能（第１順位）に係る初期表示画面を読み出して、タッチパネル部に表示させる。これにより、複数のユーザ毎の機能選択順位を考慮することで、ユーザ毎に適切にカスタマイズされた初期表示画面を提供することが可能となり、その結果として、ユーザの意に添わない画面が最初に表示される事態を未然に抑制して、ユーザに対する利便性向上に資することができるとされている。
【先行技術文献】
【特許文献】
【０００５】
【特許文献１】特開２００８−２７３１２６号公報
【発明の概要】
【発明が解決しようとする課題】
【０００６】
近年の複合機には多数の機能が搭載されていて、これらの機能を設定するための設定画面が数多く存在する。このため、各機能の設定画面を階層構造とすることが一般的となっている。ここで従来の複合機では、上述のようにユーザがログアウトした後、再度ログインした時に、ログアウト時に表示させていた画面を初期表示画面として表示する機能を持ったものがある。この場合、深い階層に位置する画面は、初期表示画面として表示するには必ずしも適さない場合があった。例えば、スキャナの詳細設定画面を表示した状態でユーザがログアウトした場合には、次回同じユーザがログインすると、スキャナの詳細設定画面が表示されることになり、ログイン時の初期表示画面として表示させる設定画面としては不適切なものであった。
【０００７】
本発明は、上述のごとき実情に鑑みてなされたものであり、複合機に対するログイン時に前回のログアウト時の画面を表示させる機能を備えた認証システムにおいて、複合機におけるログアウト時の最終表示画面に応じて初期表示画面を変更することで、ログイン時の初期表示画面を最適化し、ユーザの利便性を向上させることができるようにした認証システムと、その認証システムを構成する複合機、及び認証サーバを提供することを目的とする。
【課題を解決するための手段】
【０００８】
上記課題を解決するために、本発明の第１の技術手段は、複合機と、該複合機と通信可能に接続され、前記複合機に入力されたログイン情報の認証を行う認証サーバとからなる認証システムにおいて、前記複合機がログイン時に初期表示可能な画面を特定する情報を予め記憶する初期表示画面記憶手段と、前記複合機の最終表示画面を特定する情報と、前記初期表示画面記憶手段に記憶した情報とを比較し、前記最終表示画面を特定する情報が、ログイン時の初期表示画面を特定する情報として適しているか否かを判断する判断手段と、を有し、該判断手段によって前記複合機のログアウト時の最終表示画面が前記初期表示画面として適さないと判断した場合には、所定の条件に従う他の画面を前記複合機に表示させることを特徴としたものである。
【０００９】
第２の技術手段は、第１の技術手段において、前記認証サーバは、前記複合機から通知された該複合機におけるログアウト時の最終表示画面を特定する情報を記憶する記憶手段と、前記複合機がログインした後の初期表示画面を指示する初期モード設定情報を前記複合機に通知する手段とを有し、前記初期モード設定情報は、前記最終表示画面を特定する情報と、該最終表示画面を前記初期表示画面として表示することを指示する情報とを含み、前記複合機は、該複合機のログアウト時の最終表示画面を特定する情報を前記認証サーバに通知する手段と、前記認証サーバから受信した前記初期モード設定情報に基づいて、ログイン後の初期表示画面として前記最終表示画面を表示する制御を行う制御手段と、前記初期表示画面記憶手段と、前記判断手段と、を有し、該判断手段は、前記ログアウト時の最終表示画面を特定する情報と、前記初期表示画面記憶手段に記憶した情報と比較し、前記最終表示画面を特定する情報が、次回のログイン時の初期表示画面を特定する情報として適しているか否かを判断するものであって、該判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記認証サーバに通知することを特徴としたものである。
【００１０】
第３の技術手段は、第２の技術手段において、前記所定の条件に従う他の画面は、前記ログアウト時の最終表示画面が前記初期表示画面を特定する情報として適さないと判断した場合に初期表示画面として表示するために予め定められた画面であることを特徴としたものである。
【００１１】
第４の技術手段は、第２の技術手段において、前記複合機は、所定の操作に従って階層構造をもつ画面の階層間の表示変更を可能とし、前記ログアウト時の最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴としたものである。
【００１２】
第５の技術手段は、第１の技術手段において、前記認証サーバは、前記複合機から通知された該複合機におけるログアウト時の最終表示画面を特定する情報を記憶する記憶手段と、前記複合機がログインした後の初期表示画面を指示する初期モード設定情報を前記複合機に通知する手段とを有し、前記初期モード設定情報は、前記最終表示画面を特定する情報と、該最終表示画面を前記初期表示画面として表示することを指示する情報とを含み、前記複合機は、該複合機のログアウト時の最終表示画面を特定する情報を前記認証サーバに通知する手段と、前記認証サーバから受信した前記初期モード設定情報に基づいて、ログイン後の初期表示画面として前記最終表示画面を表示する制御を行う制御手段と、前記初期表示画面記憶手段と、前記判断手段と、を有し、該判断手段は、前記初期モード設定情報に含まれる最終表示画面を特定する情報と、前記初期表示画面記憶手段に記憶した情報とを比較し、前記最終表示画面を特定する情報が、ログイン時の初期表示画面を特定する情報として適しているか否かを判断するものであって、該判断手段によって前記初期モード設定情報に含まれる最終表示画面を特定する情報が前記初期表示画面を特定する情報として適さないと判断した場合には、前記初期モード設定情報で指定された最終表示画面ではなく、所定の条件に従う他の画面を、前記ログイン時の初期表示画面として表示することを特徴としたものである。
【００１３】
第６の技術手段は、第５の技術手段において、前記所定の条件に従う他の画面は、前記初期モード設定情報に含まれる最終表示画面を特定する情報が前記初期表示画面を特定する情報として適さないと判断した場合に、初期表示画面として表示するために予め定められた画面であることを特徴としたものである。
【００１４】
第７の技術手段は、第５の技術手段において、前記複合機は、所定の操作に従って階層構造をもつ画面の階層間の表示変更を可能とし、前記初期モード設定情報に含まれる最終表示画面を特定する情報が前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴としたものである。
【００１５】
第８の技術手段は、第１の技術手段において、前記複合機は、該複合機のログアウト時の最終表示画面を特定する情報を前記認証サーバに通知する手段と、前記認証サーバから受信した前記初期モード設定情報に基づいて、ログイン後の初期表示画面として前記最終表示画面を表示する制御を行う制御手段とを有し、前記認証サーバは、前記複合機から通知された該複合機におけるログアウト時の最終表示画面を特定する情報を記憶する記憶手段と、前記最終表示画面を特定する情報と、該最終表示画面を前記初期表示画面として表示することを指示する情報とを含む初期モード設定情報を前記複合機に通知する手段と、前記初期表示画面記憶手段と、前記判断手段と、を有し、該判断手段は、前記ログアウト時の最終表示画面を特定する情報と、前記初期表示画面記憶手段に記憶した情報とを比較し、前記最終表示画面を特定する情報が、次回ログイン時の初期表示画面を特定する情報として適しているか否かを判断するものであって、該判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記初期モード設定情報に含めて前記複合機に送信することを特徴としたものである。
【００１６】
第９の技術手段は、第８の技術手段において、前記所定の条件に従う他の画面は、前記複合機から送信されたログアウト時の最終表示画面が前記初期表示画面を特定する情報として適さないと判断した場合に初期表示画面として表示するために予め定められた画面であることを特徴としたものである。
【００１７】
第１０の技術手段は、第８の技術手段において、前記複合機は、所定の操作に従って階層構造をもつ画面の階層間の表示変更を可能とし、前記複合機から送信されたログアウト時の最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴としたものである。
【００１８】
第１１の技術手段は、第２〜１０のいずれか１の技術手段において、前記認証サーバは、前記ログアウト時の最終表示画面を特定する情報を、複合機固有の機器情報に関連付けて前記記憶手段に記憶し、前記初期モード設定情報を前記複合機に通知する手段は、前記複合機固有の機器情報に該当する初期モード設定情報を前記複合機に通知することを特徴としたものである。
【００１９】
第１２の技術手段は、第２〜１０のいずれか１の技術手段において、前記認証サーバは、前記ログアウト時の最終表示画面を特定する情報に関連付けて、前記複合機の機種情報を前記記憶部に記憶し、前記前記初期モード設定情報を前記複合機に通知する手段は、前記機種情報が一致する複合機に対して前記初期モード設定情報を通知することを特徴としたものである。
【００２０】
第１３の技術手段は、第２〜１０のいずれか１の技術手段において、前記認証サーバは、前記ログアウト時の最終表示画面を特定する情報に関連付けて、前記複合機の設定情報を前記記憶部に記憶し、前記前記初期モード設定情報を前記複合機に通知する手段は、前記初期モード設定情報とともに前記設定情報を前記複合機に通知することを特徴としたものである。
【００２１】
第１４の技術手段は、複合機に入力されたログイン情報の認証を行う認証サーバに接続される複合機において、該複合機のログアウト時の最終表示画面を特定する情報を前記認証サーバに通知する手段と、前記最終表示画面を特定する情報と該最終表示画面を前記初期表示画面として表示することを指示する情報とを含む初期モード設定情報を前記認証サーバから受信し、該受信した前記初期モード設定情報に基づいて、ログイン後の初期表示画面として前記最終表示画面を表示する制御を行う制御手段と、ログイン時に初期表示可能な画面を特定する情報を予め記憶する初期表示画面記憶手段と、前記複合機の最終表示画面を特定する情報と、前記初期表示画面記憶手段に記憶した情報とを比較し、前記最終表示画面を特定する情報が、ログイン時の初期表示画面を特定する情報として適しているか否かを判断する判断手段と、を有し、前記判断手段によって前記ログアウト時の最終表示画面が前記初期表示画面として適さないと判断した場合には、所定の条件に従う他の画面を表示することを特徴としたものである。
【００２２】
第１５の技術手段は、第１４の技術手段において、前記判断手段は、前記ログアウト時の最終表示画面を特定する情報と、前記初期表示画面記憶手段に記憶した情報とを比較し、前記最終表示画面を特定する情報が、次回ログイン時の初期表示画面を特定する情報として適しているか否かを判断するものであって、前記判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記認証サーバに通知することを特徴としたものである。
【００２３】
第１６の技術手段は、第１５の技術手段において、前記所定の条件に従う他の画面は、前記ログアウト時の最終表示画面が前記初期表示画面を特定する情報として適さないと判断した場合に初期表示画面として表示するために予め定められた画面であることを特徴としたものである。
【００２４】
第１７の技術手段は、第１５の技術手段において、該複合機は、所定の操作に従って階層構造をもつ画面の階層間の表示変更を可能とし、前記ログアウト時の最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴としたものである。
【００２５】
第１８の技術手段は、第１４の技術手段において、前記判断手段は、前記初期モード設定情報に含まれる最終表示画面を特定する情報と、前記初期表示画面記憶手段に記憶した情報とを比較し、前記最終表示画面を特定する情報が、ログイン時の初期表示画面を特定する情報として適しているか否かを判断するものであって、前記判断手段によって前記初期モード設定情報に含まれる最終表示画面を特定する情報が前記初期表示画面を特定する情報として適さないと判断した場合には、前記初期モード設定情報で指示された最終表示画面ではなく、所定の条件に従う他の画面を、前記ログイン時の初期表示画面として表示することを特徴としたものである。
【００２６】
第１９の技術手段は、第１８の技術手段において、前記所定の条件に従う他の画面は、前記初期モード設定情報に含まれる最終表示画面を特定する情報が前記初期表示画面を特定する情報として適さないと判断した場合に、初期表示画面として表示するために予め定められた画面であることを特徴としたものである。
【００２７】
第２０の技術手段は、第１８の技術手段において、前記複合機は、所定の操作に従って階層構造をもつ画面の階層間の表示変更を可能とし、前記初期モード設定情報に含まれる最終表示画面を特定する情報が前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴としたものである。
【００２８】
第２１の技術手段は、複合機と通信可能に接続され、前記複合機に入力されたログイン情報の認証を行う認証サーバにおいて、前記複合機から通知された該複合機におけるログアウト時の最終表示画面を特定する情報を記憶する記憶手段と、前記最終表示画面を特定する情報と、該最終表示画面を前記初期表示画面として表示することを指示する情報とを含む初期モード設定情報を前記複合機に通知する手段と、ログイン時に初期表示可能な画面を特定する情報を予め記憶する初期表示画面記憶手段と、前記複合機から通知されたログアウト時の最終表示画面を特定する情報と、前記初期表示画面記憶手段に記憶した情報とを比較し、前記最終表示画面を特定する情報が、前記複合機の次回ログイン時の初期表示画面を特定する情報として適しているか否かを判断する判断手段と、を有し、前記判断手段によって前記ログアウト時の最終表示画面が前記初期表示画面を特定する情報として適さないと判断した場合には、前記ログアウト時の最終表示画面を特定する情報ではなく、所定の条件に従う他の画面を特定する情報を、前記最終表示画面を特定する情報として前記初期モード設定情報に含めて前記複合機に送信することを特徴としたものである。
【００２９】
第２２の技術手段は、第２１の技術手段において、前記所定の条件に従う他の画面は、前記ログアウト時の最終表示画面が前記初期表示画面を特定する情報として適さないと判断した場合に初期表示画面として表示するために予め定められた画面であることを特徴としたものである。
【００３０】
第２３の技術手段は、第２１の技術手段において、前記複合機は、所定の操作に従って階層構造をもつ画面の階層間の表示変更が可能であって、前記ログアウト時に表示していた前記最終表示画面を特定する情報が、前記初期表示画面記憶手段に記憶した情報に一致しない場合で、かつ、前記最終表示画面の上位階層の画面を特定する情報が前記初期表示画面記憶手段に記憶されていた場合、前記所定の条件に従う他の画面は、前記最終表示画面の上位階層の画面のうち、前記最終表示画面に最も近い階層の画面であることを特徴としたものである。
【００３１】
第２４の技術手段は、第２１〜２３のいずれか１の技術手段において、前記ログアウト時の最終表示画面を特定する情報を、複合機固有の機器情報に関連付けて前記記憶手段に記憶し、前記初期モード設定情報を前記複合機に通知する手段は、前記複合機固有の機器情報に該当する初期モード設定情報を前記複合機に通知することを特徴としたものである。
【００３２】
第２５の技術手段は、第２１〜２３のいずれか１の技術手段において、前記ログアウト時の最終表示画面を特定する情報に関連付けて、前記複合機の機種情報を前記記憶部に記憶し、前記前記初期モード設定情報を前記複合機に通知する手段は、前記機種情報が一致する複合機に対して前記初期モード設定情報を通知することを特徴としたものである。
【００３３】
第２６の技術手段は、第２１〜２３のいずれか１の技術手段において、前記ログアウト時の最終表示画面を特定する情報に関連付けて、前記複合機の設定情報を前記記憶部に記憶し、前記前記初期モード設定情報を前記複合機に通知する手段は、前記初期モード設定情報とともに前記設定情報を前記複合機に通知することを特徴としたものである。
【発明の効果】
【００３４】
本発明によれば、複合機に対するログイン時に前回のログアウト時の画面を表示させる機能を備えた認証システムにおいて、複合機におけるログアウト時の最終表示画面に応じて初期表示画面を変更することで、ログイン時の初期表示画面を最適化し、ユーザの利便性を向上させることができるようにした認証システムと、その認証システムを構成する複合機、及び認証サーバを提供することができる。
【図面の簡単な説明】
【００３５】
【図１】本発明の一実施形態に係る認証システムの概略構成例を示すブロック図である。
【図２】複合機と認証サーバとがユーザ認証を行うときの処理例を説明するためのフローチャートである。
【図３】複合機で表示するログイン画面の一例を示す図である。
【図４】認証サーバが複合機を管理対象とする際の処理の一例を示す図である。
【図５】認証サーバのユーザ情報管理ＤＢで管理するユーザ管理テーブルの一例を示す図である。
【図６】認証サーバのユーザ情報管理ＤＢで管理する機能有効／無効管理テーブルの一例を示す図である。
【図７】認証サーバのユーザ情報管理ＤＢで管理する最終表示画面管理テーブルの一例を示す図である。
【図８】複合機におけるログアウト時の処理例を示したフローチャートである。
【図９】初期表示画面テーブルの設定例を示す図である。
【図１０】認証サーバにおける最終表示画面管理テーブルの更新処理例を説明するための図である。
【図１１】ログイン時の画面切換処理の一例を説明するためのフローチャートである。
【図１２】認証サーバにおける初期表示画面の判定処理の一例を説明するためのフローチャートである。
【発明を実施するための形態】
【００３６】
図１は、本発明の一実施形態に係る認証システムの概略構成例を示すブロック図である。図１に示すシステムは、複合機１、認証サーバ２、及びアプリケーションサーバ（外部アプリケーションサーバ）３を備える。本発明に係る認証システムは、少なくとも複合機１及び認証サーバ２を含むものとする。
【００３７】
複合機１は、デジタル複合機またはアナログ複合機であり、機器制御部１０、操作部１１、画像読み取り部１２、画像形成部１３、及び通信部１４を備える。機器制御部１０は、複合機１が備える各部を制御する。操作部１１は、入力部１１ａと、ＬＣＤ（Liquid Crystal Display：液晶ディスプレイ）などの表示部１１ｂとを有する。入力部１１ａは、各種入力キー群と、表示部１１ｂに設けられたユーザ入力を受け付けるタッチパネルとを有する。
【００３８】
画像読み取り部１２は、原稿台または自動原稿送り装置に載置された原稿を読み取って画像データを入力する。画像形成部１３は、画像読み取り部１２から入力された画像データまたは通信部１４を介して外部ＰＣから入力された画像データを記録媒体に画像形成（印刷）する。通信部１４は、有線ＬＡＮ（Local Area Network）、無線ＬＡＮ等のネットワークを介して情報処理装置と通信する。ここでは、通信対象の情報処理装置として、認証サーバ２とアプリケーションサーバ３とがネットワークに接続されている。
【００３９】
認証サーバ２は、通信部２０及びアプリケーションソフト記憶部２１を備えたサーバコンピュータである。通信部２０は、有線ＬＡＮや無線ＬＡＮ等のネットワークを介して複合機１と通信する。アプリケーションソフト記憶部２１は、複合機１を制御するための認証アプリケーション２２を記憶する。
【００４０】
認証アプリケーション２２は、複合機管理部２３、複合機制御部２４、及び認証部２５をアプリケーションとして備え、データとして、ユーザ情報管理データベース（ＤＢ）２６を備える。複合機管理部２３は、ユーザ情報と複合機１との関連付けを行う。複合機制御部２４は、複合機１の各要素機能の有効／無効を管理する。各要素機能については後述する。認証部２５は、ユーザ認証を行う。ユーザ情報管理ＤＢ２６は、ユーザ情報が管理されたデータベースである。
【００４１】
複合機１の機器制御部１０は、認証サーバ２に格納された認証アプリケーション２２との間で、通信部１４及び通信部２０を経由して、入力部１１ａで入力されたユーザによる操作情報を認証サーバ２側に送信する。また、機器制御部１０は、通信相手の機器をコントロールするための情報やそれに応答する情報であるデバイスコントロール情報をやり取りしながら、認証アプリケーション２２の機能を呼び出してその認証処理結果を得る。これにより、複合機１は、認証アプリケーション２２と連携した認証処理を行うことが可能になる。
【００４２】
アプリケーションサーバ３は、通信部３０及びアプリケーションソフト記憶部３１を備えたサーバコンピュータである。通信部３０は、有線ＬＡＮや無線ＬＡＮ等のネットワークを介して複合機１と通信する。アプリケーションソフト記憶部３１は、複合機１を制御するためのアプリケーション３２を記憶する。アプリケーションサーバ３は、認証サーバ２と物理的に同じ装置として構成してもよい。また、アプリケーションサーバ３、認証サーバ２は、いずれもＰＣ上にサーバプログラムを組み込んで構成してもよい。
【００４３】
複合機１の機器制御部１０は、アプリケーションサーバ３に格納されたアプリケーション３２との間で、通信部１４及び通信部３０を経由して、操作部１１に対する操作情報をアプリケーションサーバ３側に送信する。また機器制御部１０は、デバイスコントロール情報をやり取りしながら、アプリケーション３２の機能を呼び出してその処理結果を得る。これにより、複合機１は、アプリケーション３２と連携した処理を行うことが可能になる。１つの外部アプリケーション機能は、アプリケーションサーバ３に格納された１つのアプリケーションに対応しており、格納されたアプリケーション毎に複合機１に実装させることができる。
【００４４】
上述の操作情報やデバイスコントロール情報は、受信側で送信元が認識できるように、送信側の機器の機器情報を含んで送信される。機器情報とは、機器に固有の情報であり、他の機器と識別可能にするための識別情報を指す。複合機１について例示すると、機器情報とは、複合機１を他の機器（他の複合機や認証サーバ２等）と識別可能にするための識別情報であって、例えば、複合機１に固有の機器番号（シリアル番号）やＭＡＣ（Media Access Control）アドレスなどが挙げられる。
【００４５】
図２は、複合機と認証サーバとがユーザ認証を行うときの処理例を説明するためのフローチャートである。複合機１の操作部１１に対してユーザが所定の操作を行うことにより、ユーザ認証機能を有効にすることができる（ステップＳ１）。この場合、操作部１１に対する所定の操作が機器制御部１７にて判別され、機器制御部１７の制御によってユーザ認証機能が有効となる。
【００４６】
複合機１では、ユーザ認証機能が有効になると、認証サーバ２に対してユーザ認証機能が有効になったことを通知し、認証サーバ２からログイン画面（認証画面）を取得する。そして複合機１は、認証サーバ２から取得したログイン画面を表示部１１ｂに表示する（ステップＳ２）。
【００４７】
図３は、複合機１で表示するログイン画面の一例を示す図である。複合機１で表示するログイン画面４０は、ログイン名入力部４１と、パスワード入力部４２とを有する。ユーザは、操作部１１を操作してログイン画面４０にログイン名とパスワードとを入力することにより、ログインを行う。また、ログイン画面４０には、ＩＣ（Integrated Circuit）カードなどによりユーザ認証を行う場合に、ＩＣカードをカードリーダに差し込むことを促す表示も行われる。
【００４８】
図２に戻って説明する。ステップＳ２でログイン画面を表示した後、ユーザは、ログイン画面に対してログイン名及びパスワードを入力する。もしくはＩＣカードリーダによりパスワード情報を入力する。これらログイン名及びパスワードがログイン情報（認証情報）に相当する。
入力されたログイン情報を受けた機器制御部１０は、認証サーバ２に対してユーザ認証処理を要求し、その要求を受けた認証サーバ２の認証アプリケーション２２が、認証が成功したか否かを判定する（ステップＳ３）。
【００４９】
認証サーバ２は、認証に失敗した場合（ステップＳ３−ＮＯ）、認証エラーを複合機１に返信する。複合機１の機器制御部１０は、認証エラーと同時に送信されたログイン画面（または認証が成功するまで複合機１内で保持しておいたログイン画面）を表示部１１ｂに表示させ、ユーザにログイン情報の再入力を促す。このようにして複合機１は、認証サーバ２と連携してユーザ認証を行うことができる。
【００５０】
認証が成功した場合（ステップＳ３−ＹＥＳ）、認証サーバ２の複合機制御部２４は、ログイン画面をクリアすると共に複合機の各機能を有効または無効にする制御コマンドを、複合機１に送信する。制御コマンドを受信した複合機１は、ログイン画面をクリアすると共に、制御コマンドに従って複合機１の各機能を有効または無効にする（ステップＳ４）。
【００５１】
次に、認証サーバ２の複合機制御部２４は、複合機１に対して画面変更の指示を行う（ステップＳ５）。ここでは、複合機制御部２４は、認証がＯＫになったユーザのログイン情報に基づいて、そのユーザが前回ログアウトしたときに複合機に表示されていた最終表示画面情報に従って、複合機１の表示を変更させる指示を行う。この指示情報を初期モード設定情報とする。初期モード設定情報には、複合機のログアウト時の最終表示画面を特定する情報と、ログイン時にその最終表示画面を複合機１に表示させる指示情報とを含む。
画面変更の指示を受けた複合機１では、複合機１の内部メモリに保持している標準画面のなかから、指示された標準画面を表示させる。この標準画面が、複合機１がログイン後に表示させる初期表示画面となる。
【００５２】
例えば、コピーやスキャン等の複合機固有の機能の場合、各機能の設定画面は、複合機１の内部に標準画面として準備されているので、その準備されている設定画面を呼び出す情報（コマンド）を認証サーバ２から複合機１に送信する。このような設定画面を呼び出す情報を受け取った複合機１は、その情報に応じて設定画面を呼び出して、初期表示画面として表示させる。
一方、複合機１の固有の機能ではないアプリケーション操作中にログアウトした場合には、次回のログイン時にアプリケーションの操作画面が表示されることになる。この場合、ＨＴＭＬ等で記述されたアプリケーションの表示画面を呼び出すよう複合機１を制御する情報を、認証サーバ２から複合機１に送信する。複合機１では、この情報を受けてアプリケーションサーバ３からアプリケーションの表示画面を呼び出し、初期表示画面として表示させる。
【００５３】
図４は、認証サーバが複合機を管理対象とする際の処理の一例を示す図で、図２のステップＳ２におけるログイン画面表示処理をさらに詳しく説明するための図である。複合機１に表示するログイン画面は、認証サーバ２から取得されるが、複合機１におけるログイン画面の取得に際しては、まず認証サーバ２がその複合機１を認証対象とする必要がある。
【００５４】
複合機１でユーザ認証機能が有効になると、複合機１の機器制御部１０は、起動通知を認証サーバ２に送信する（ステップＳ１１）。起動通知には、複合機１の機器情報と、ユーザ認証機能が有効になったことを示す情報とを含む。
起動通知の送信は、ユーザ認証機能が有効から無効になったときにも実行される。ここでは、複合機１の機器情報と、ユーザ認証機能が無効になったことを示す情報とを含む起動通知が複合機１から認証サーバ２に送信される。また、複合機１が起動した時に、ユーザ認証機能が既に有効となっている場合にも、起動通知が認証サーバ２に送信される。
【００５５】
認証サーバ２で動作する認証アプリケーション２２が、通信部２０を介して起動通知を受信すると、認証アプリケーション２２の複合機管理部２３は、機器情報をキーとして内部メモリから複合機情報を取得する（ステップＳ１２）。
複合機情報とは、複合機の機器情報、その機器情報が示す複合機の電源がオンであるかオフであるかを示す情報、及び機器情報が示す複合機を認証対象とするか否かを示す情報を含む。
【００５６】
認証サーバ２の複合機管理部２３は、取得した複合機情報により、複合機情報で管理中の複合機のうち複合機１の電源がオフからオンになったことを検知した場合、ユーザ認証機能が既に有効となっていることを条件として、その複合機１を認証対象とするように複合機情報を書き換える。
一方、複合機管理部２３は、取得した複合機情報により、複合機１のユーザ認証機能が無効から有効になったことを検知した場合、（Ｉ）その複合機１を認証対象として複合機情報を書き換える（無効から有効に書き換える）か、若しくは（ＩＩ）その複合機１を認証対象として新たに加え、機器情報から複合機情報を作成する。このような処理により、複合機管理部２３は認証対象として複合機１を追加することができる。
【００５７】
複合機管理部２３は、別の複合機の電源オンを検知したときには、それまで認証対象としていた複合機を認証対象から外してもよいが、複数の複合機に対応させるために同時に複数の複合機を認証対象のままにしておくことが好ましい。
また、ユーザ認証機能が無効になったことを示す情報を含む起動通知を受信した場合には、その複合機１を認証対象から外すように、複合機情報を有効から無効に書き換えるか、その複合機１の複合機情報自体を削除すればよい。
【００５８】
次に、認証サーバ２の認証アプリケーション２２は、起動通知に対する応答（例えばユーザ認証機能がオンで且つ起動が確認できたことを示す情報）を複合機１に返信する（ステップＳ１３）。返信を受けた複合機１の機器制御部１０は、認証サーバ２に対してログイン画面の取得を要求する（ステップＳ１４）。
認証サーバ２の認証アプリケーション２２は、ログイン画面の要求に応じて、認証サーバ２の内部メモリからログイン画面を読み出して複合機１に返信する（ステップＳ１５）。複合機１の機器制御部１０は、受信したログイン画面を表示部１１ｂに操作画面として表示させる。
【００５９】
複合機１で表示されたログイン画面に対してユーザがログイン情報（ログイン名とパスワード）を入力すると、入力されたログイン情報は、複合機１から認証サーバ２に送信される。認証サーバ２の認証部２５は、複合機１から送信されたログイン情報と、ユーザ情報管理データベース２７の蓄積情報とを照合することで、ユーザの認証を行う。
【００６０】
図５は、認証サーバのユーザ情報管理ＤＢで管理するユーザ管理テーブルの一例を示す図である。図５のユーザ管理テーブル５０は、ユーザ情報管理ＤＢ２６に含まれ、各ユーザ認証情報として、ユーザＩＤ毎にログイン名及びパスワードが関連付けられて格納されている。
ユーザが複合機１で入力したログイン情報は、複合機１から認証サーバ２に送信される。認証部２５は、受信したログイン情報とユーザ管理テーブル５０とを照合し、ログイン情報に合致するユーザ認証情報がユーザ管理テーブル５０にあるか否かで認証を行う。認証がＯＫの場合、認証サーバ２の複合機制御部２４は、ログインするユーザが前回ログアウト時に表示させた最終表示画面の情報をユーザ情報管理ＤＢ２６から取得し、複合機１に対して画面変更の指示を行なう。このとき、前回のログアウト時の最終表示画面が、次のログイン時の初期表示画面として適さないと判断したときには、実際の最終表示画面に代えて、所定の初期表示画面を表示させたり、あるいは、最終表示画面の上位階層の画面を表示させたりする。この処理の詳細は後述する。
【００６１】
図６は、認証サーバのユーザ情報管理ＤＢで管理する機能有効／無効管理テーブルの一例を示す図で、図２のステップＳ４における有効／無効処理をさらに詳しく説明するための図である。
機能有効／無効管理テーブル５１は、ユーザ情報管理ＤＢ２６に含まれ、ユーザＩＤ毎に、複合機の各機能（要素機能）についての有効／無効を示す情報が関連付けられている。なお、有効／無効を示す情報は、その機能に対するユーザ制限を示す情報であり、権限情報であるともいえる。
【００６２】
認証サーバ２の複合機制御部２４は、機能有効／無効管理テーブル５１に記述された要素機能毎の有効／無効情報を、複合機１側からの変更要求に応じて書き換えるなどして管理する。有効／無効情報の書き換えは、書き換え権限をもつ管理者ユーザがログインしたときにのみ実行できるようにしてもよい。さらに、複合機制御部２４は、管理された有効／無効情報に基づき、複合機１における各要素機能を制限する制御を行う。
【００６３】
機能有効／無効管理テーブル５１では、要素機能として、コピー機能、スキャン機能、ファックス機能、プリント機能などの大分類（ここでは動作モードでの分類）で管理を行っている。この他、例えばスキャンの場合であれば、スキャンしてＥ−ｍａｉｌで送信する機能、スキャンしてＦＴＰ（File Transfer Protocol）送信する機能、などの細かい分類を管理しても構わない。また、カラー情報（モノクロ／フルカラー）といった分類による有効／無効情報の管理など、細部の設定毎に有効／無効情報を管理してもよい。
【００６４】
認証サーバ２が複合機１の認証成功後に、複合機１の各機能を有効／無効にする場合（図２のステップＳ４）、認証サーバ２の複合機制御部２４は、ログイン情報に基づいて機能有効／無効管理テーブル５１を参照し、ログイン情報が示すユーザについて、複合機１の各機能が有効であるか無効であるかを判別する。
より具体的には、ログインされたユーザＩＤをキーとして、機能有効／無効管理テーブル５１からそのユーザＩＤに対応する有効／無効情報を抽出し、抽出した有効／無効情報からそのユーザに定められた機能毎の有効／無効を判別する。
【００６５】
そして、複合機制御部２４は、そのユーザに対して有効な機能については有効化し、無効である機能については無効化する制御コマンドを生成し、複合機１に送信する。制御コマンドを受信した複合機１の機器制御部１０は、複合機１の各機能について有効化または無効化する。このようにして、認証サーバ２は、複合機における単体機能（例えばコピー機能、スキャン機能、ファックス機能、プリント機能等）の利用可否、及び外部アプリケーション機能の利用可否をユーザごとに制御することができる。
【００６６】
次に、複合機がログイン後の初期表示画面を表示するための処理について説明する。図７は、認証サーバのユーザ情報管理ＤＢで管理する最終表示画面管理テーブルの一例を示す図である。最終表示画面管理テーブル５２には、最終表示画面の情報がユーザＩＤに関連付けられて格納されている。最終表示画面は、そのユーザ毎に前回のログアウト時に最後に表示していた表示画面である。より詳細には、１ユーザによるログインからログアウトまでの間で、ログアウト直前に最後に表示していた画面である。
【００６７】
最終表示画面管理テーブル５２で管理する最終表示画面情報は、画面データそのものではなく、複合機１の内部メモリに保持されている画面（標準画面）のなかから、いずれかの画面を特定できる情報である。この最終表示画面情報を複合機１で受け取ることにより、複合機１では、その最終表示画面情報に従って、自身の内部メモリから該当する画面を読み出して、表示部１１ｂに表示させる。
【００６８】
最終表示画面管理テーブル５２の最終表示画面情報は、ユーザがログアウトする毎に適宜更新されていく。例えば図７の例では、ユーザＩＤ“１”のユーザは、前回のログアウト時に表示していた最終表示画面は、コピー機能の設定画面である。またユーザＩＤ“２”、及び“Ｎ”のユーザの最終表示画面は、スキャン機能の設定画面である。
このとき、複合機の機能ごとに画面が階層構造をもっている場合には、最終表示管理テーブルに記録する最終表示画面情報として、機能のいずれの階層の画面かを特定する情報を付与することができる。これにより、最終表示画面管理テーブルにより、複合機１で表示される特定の画面情報を管理することができる。
【００６９】
図８は、複合機におけるログアウト時の処理例を示したフローチャートである。
複合機１の機器制御部１０は、操作部１１に対する所定のユーザ操作に応じて、ユーザのログアウト処理を開始する（ステップＳ２１）。そして複合機１がログアウト時に表示していた表示画面情報（最終表示画面情報）を取得し（ステップＳ２２）、次回ログイン時の初期表示画面として利用可能かどうかを判別する（ステップＳ２３）。ここでは、取得した前回ログアウト時の表示画面情報が、初期表示画面テーブルの情報に一致するかどうかを確認する。表示画面情報とは、表示画面そのものの画像データではなく、複合機で表示可能に用意されている標準画面のなかからいずれかの標準画面を特定できる情報である。また、上記の初期表示画面テーブルは、複合機１でログインした時に初期表示可能な画面を特定する情報を予め記憶したテーブルである。
【００７０】
図９は、初期表示画面テーブルの設定例を示す図である。この例では、第１階層、第２階層、第３階層・・と多階層に構成された標準画面が初期表示画面管理テーブル５３に設定されている。
例えば、第１階層がコピー機能の設定画面であるとき、その第２階層の画面は、コピーの解像度設定画面である。また、第１階層がスキャン機能の設定画面であるとき、その第２階層の画面としては、スキャンした画像データの宛先設定画面及び解像度設定画面があり、さらに宛先設定画面の下層である第３階層の画面としてアドレス帳画面がある。
複合機１の機器制御部１０は、前回ログアウト時に表示していた最終表示画面が、初期表示画面管理テーブル５３に記録されている画面に一致している場合には、ログアウト時の表示画面が次のログイン時の初期表示画面として利用可能であるものと判断する。
初期表示画面管理テーブル５３は、複合機１の機器制御部１０のメモリ、もしくは他の図示しないメモリに記憶保持される。このメモリが本発明の初期表示画面記憶手段に該当する。
【００７１】
図８に戻って説明する。ステップＳ２３で前回のログアウト時の最終表示画面が、初期表示画面管理テーブル５３に記載されたものであり、初期表示画面として利用可能である場合には、複合機１は、その表示画面を最終表示画面として、認証サーバに最終表示画面情報を通知する（ステップＳ２５）。
一方、ステップＳ２３でログアウト時の最終表示画面が初期表示画面として利用可能ではない場合、複合機１は、ログアウト時に表示していた画面ではなく、予め定められている画面を代替最終表示画面として設定し（ステップＳ２４）、その画面情報を最終表示画面情報として認証サーバに通知する。
【００７２】
図１０は、認証サーバにおける最終表示画面管理テーブルの更新処理例を説明するための図である。ユーザにより複合機１に対して所定のログアウト操作が行われると（ステップＳ３１）、複合機１ではログアウト処理を行い、ログアウト時の最終表示画面情報を認証サーバ２に通知する（ステップＳ３２）。この処理は、例えば図８のフローに従って実行される。最終表示画面情報の通知を受け取った認証サーバ２は、ユーザ情報管理ＤＢ２６の最終表示画面管理テーブル５２を更新する（ステップＳ３３）。
【００７３】
このように、本発明に係る第１の実施例では、複合機１は、ログアウト時の最終表示画面を特定する情報と、初期表示画面管理テーブル５３に記憶した情報とを比較し、最終表示画面を特定する情報が次回ログイン時の初期表示画面を特定する情報として適しているか否かを判断する。この判断手段は、機器制御部１０が該当する。そして判断手段によってログアウト時の最終表示画面が前記初期表示画面を特定する情報として適さないと判断した場合には、ログアウト時の最終表示画面を特定する情報ではなく、所定の条件に従う画面を特定する情報を、最終表示画面を特定する情報として認証サーバ２に通知する。
【００７４】
上記の所定の条件に従う他の画面とは、本実施例では、ログアウト時の最終表示画面が初期表示画面を特定する情報として適さないと判断した場合に初期表示画面として表示するために予め定められた画面である。
認証サーバ２では、複合機１から通知された最終表示画面を特定する情報を最終表示画面管理テーブル５２で管理しておき、次回、ユーザが複合機でログインしたときに、そのユーザの最終表示画面を特定する情報を複合機１に通知し、その画面を複合機１で表示させることができる。
【００７５】
これにより、本実施例では、複合機におけるログアウト時の最終表示画面が、次回ログイン時の初期表示画面として適さない場合、予め設定されているデフォルト画面を最終画面として認証サーバに通知することで、不適切な画面が表示されることを防ぐことができる。また、異なる複合機の初期モード設定情報が認証サーバから通知された場合など、受信した初期モード設定情報が初期表示画面として適さない場合、予め定められた画面を初期表示画面として表示することで、不適切な画面が表示されることを防ぐことができる。
さらに、複数の異なる複合機を認証サーバで管理している場合であっても、システムとして統一的なポリシーを認証サーバ側で制御することができるようになる。
【００７６】
［実施例２］
上記第１の実施例では、複合機１におけるログアウト時の最終表示画面が次のログイン時の初期表示画面として利用できない場合、予め定められている最終表示画面を認証サーバ２に通知していた。これに対して、第２の実施例では、複合機１におけるログアウト時の最終表示画面が次のログイン時の初期表示画面として利用できない場合には、代替画面として、その最終表示画面の上位階層にあたる画面情報を利用する。
【００７７】
複合機１では、実施例１と同様に複合機１がログアウトした際に、ログアウト時の最終表示画面情報を認証サーバ２に送信する。ここで本実施例では、複合機１は、ログアウトによって得られた最終表示画面情報と、図９に示す初期表示画面管理テーブル５３とを比較する。最終表示画面情報と初期表示画面管理テーブル５３の画面情報とが一致すれば、そのときの最終表示画面情報を次回ログイン時の初期表示画面として利用するものとして、認証サーバ２に通知する。
【００７８】
一方、ログアウト時の最終表示画面情報と初期表示画面管理テーブル５３の画面情報とが一致しなかった場合、複合機１は、最終表示画面情報の上位階層の画面が初期表示画面管理テーブル５３に存在しているか否かを検索する。この場合、最終表示画面情報には、複合機１のログアウト時の最終表示画面を特定できる情報とともに、その上位階層の画面を特定できる情報も必要となる。
複合機１は、最終表示画面情報の上位階層の画面が初期表示画面テーブルに存在している場合、その上位階層の画面のうち最も下位の階層の画像（階層が深い画像）を初期表示画面として利用するものとして、その画面情報を最終表示画面情報として認証サーバ２に送信する。認証サーバ２側の処理は、第１の実施例と同様である。
【００７９】
このように、本発明に係る第２の実施例では、複合機１は、ログアウト時の最終表示画面を特定する情報と、初期表示画面管理テーブル５３に記憶した情報とを比較し、最終表示画面を特定する情報が次回ログイン時の初期表示画面を特定する情報として適しているか否かを判断する。そして判断手段によってログアウト時の最終表示画面が前記初期表示画面を特定する情報として適さないと判断した場合には、ログアウト時の最終表示画面を特定する情報ではなく、所定の条件に従う画面を特定する情報を、最終表示画面を特定する情報として認証サーバ２に通知する。
【００８０】
上記の所定の条件に従う他の画面とは、ログアウト時の最終表示画面を特定する情報が初期表示画面管理テーブル５３に記憶した情報に一致しない場合で、かつ、最終表示画面の上位階層の画面を特定する情報が初期表示画面管理テーブル５３に記憶されていた場合に、最終表示画面の上位階層の画面のうち、最終表示画面に最も近い階層の画面となる。
認証サーバ２では、複合機１から通知された最終表示画面を特定する情報を最終表示画面管理テーブル５２で管理しておき、次回、ユーザが複合機でログインしたときに、そのユーザの最終表示画面を特定する情報を複合機１に通知し、その画面を複合機１で表示させることができる
【００８１】
これにより、本実施例では、複合機におけるログアウト時の最終表示画面が、次回ログイン時の初期表示画面として適さない場合、最終表示画面にもっとも近い上位階層の画面を最終画面として通知することで、より利便性を高めることができる。また、異なる複合機の初期モード設定情報が認証サーバから通知された場合など、受信した初期モード設定情報が初期表示画面として適さない場合、受信した初期モード情報に近い画面を初期表示画面として表示することで、より利便性を高めることができる。さらに、複数の異なる複合機を認証サーバで管理している場合であっても、システムとして統一的なポリシーを認証サーバ側で制御することができるようになる。
【００８２】
［実施例３］
上記第１及び第２の実施例では、最終表示画面情報と初期表示画面テーブルの情報とを比較する処理をログアウト時に行っていたが、第３の実施例では、同様の処理をログイン時の画面変更指示のタイミングで実行する。
図１１は、ログイン時の画面切換処理の一例を説明するためのフローチャートである。
複合機１は、ログインにより認証が成功すると、認証サーバ２から送信された画面変更指示を受信する（ステップＳ４１）。認証サーバ２から送信される画面変更指示は、第１の実施例で認証が成功したときに認証サーバ２から複合機１に送信される画面変更指示と同様のものである（例えば、図２のステップＳ５）。ここでは、認証サーバ２は、前回の複合機１のログアウト時に複合機１から送信された最終表示画面情報をユーザごとに保持しておき、次のログイン時に、最終表示画面情報により特定される画面を初期表示画面として表示させる指示（初期モード設定情報）を複合機１に送信する。
【００８３】
複合機１では、画面変更指示を受信すると、指示された画面が初期表示画面として利用可能かどうかを判断する（ステップＳ４２）。初期表示画面が利用可能か否かの判断は、実施例１と同様に、認証サーバ２から送信された最終表示画面情報が、初期表示画面管理テーブル５３の情報に一致するかどうかに従って確認する（例えば、図８のステップＳ２３）。
【００８４】
認証サーバ２から送信された最終表示画面情報が、初期表示画面として利用可能な画面の情報である場合には、複合機１は、その画面を内部メモリから読み出して表示部１１ｂに表示させる。一方、最終表示画面情報が初期表示画面として利用可能ではない画面の情報である場合には、複合機１は、代替画面として、予め定められた画面を初期表示画面として表示部１１ｂに表示する。
【００８５】
なお、本実施例では、代替画面を表示させる処理に代えて、第２の実施例と同様に、認証サーバ２から送信された最終表示画面情報が初期表示画面管理テーブル５３になく、かつその最終表示画面の上位階層の画面情報が初期表示画面管理テーブル５３に存在していれば、その上位階層の画面のうち最も下位の階層の画像（階層が深い画像）を初期表示画面として表示するようにしてもよい。
【００８６】
このように、本発明に係る第３の実施例では、複合機１は、ログイン時に認証が成功したときに初期モード設定情報により認証サーバから送信された最終表示画面を特定する情報と、初期表示画面管理テーブル５３に記憶した情報とを比較し、最終表示画面を特定する情報がログイン時の初期表示画面を特定する情報として適しているか否かを判断する。そして判断手段によって、初期モード設定情報の最終表示画面が初期表示画面を特定する情報として適さないと判断した場合には、ログアウト時の最終表示画面を特定する情報ではなく、所定の条件に従う画面を表示部１１ｂに表示する。
【００８７】
上記の所定の条件に従う他の画面とは、予め定めた画面であってもよく、また、ログアウト時の最終表示画面を特定する情報が初期表示画面管理テーブル５３に記憶した情報に一致しない場合で、かつ、最終表示画面の上位階層の画面を特定する情報が初期表示画面管理テーブル５３に記憶されていた場合に、最終表示画面の上位階層の画面のうち、最終表示画面に最も近い階層の画面としてもよい。
【００８８】
これにより、本実施例では、複合機におけるログイン時に認証サーバから指示された最終表示画面が、初期表示画面として適さない場合、所定の画面もしくは最終表示画面にもっとも近い上位階層の画面を最終画面として通知することで、より利便性を高めることができる。また、異なる複合機の初期モード設定情報が認証サーバから通知された場合など、受信した初期モード設定情報が初期表示画面として適さない場合、受信した初期モード情報に近い画面を初期表示画面として表示することで、より利便性を高めることができる。さらに、複数の異なる複合機を認証サーバで管理している場合であっても、システムとして統一的なポリシーを認証サーバ側で制御することができるようになる。
【００８９】
［実施例４］
上記実施例１〜３では、ログアウト時の最終表示画面が次回のログイン時の初期表示画面に適しているか否かの判断を複合機１で行うようにしていた。本実施例では、このような判断を認証サーバ２で行うようにする。
図１２は、認証サーバにおける初期表示画面の判定処理の一例を説明するためのフローチャートである。まず複合機１は、ログアウト時に表示していた最終表示画面情報を認証サーバ２に送信する。
【００９０】
認証サーバ２は、最終表示画面管理テーブル５２からユーザの最終表示画面情報を読み込み（ステップＳ５１）、複合機１の次回ログイン時の初期表示画面として利用可能かどうかを判別する（ステップＳ５２）。初期表示画面として利用可能か否かは、認証サーバに図９に示すような初期表示画面管理テーブル５３を保持し、実施例１のように、複合機１から送信された最終表示画面情報が初期表示画面管理テーブルの情報と一致するか否かによって判断することができる。
最終表示画面情報が、初期表示画面テーブルの情報と一致した場合には、その最終表示画面情報を保持しておき、複合機１が次回ログインし、そのユーザの認証が成功したときに、保持しておいた最終表示画面情報を用いて初期表示画面として切り換える指示（初期モード設定情報）を複合機１に送信する（ステップＳ５４）。
【００９１】
また、最終表示画面情報が初期表示画面管理テーブル５３の情報と一致せず、初期表示画面として利用できないと判定した場合には、実施例１の複合機１の処理のように、所定の代替画面の情報を最終表示画面情報として設定し保持しておく（ステップＳ５３）。あるいは、実施例２の複合機１の処理のように、ログアウト時の最終表示画面を特定する情報が初期表示画面管理テーブル５３に記憶した情報に一致しない場合で、かつ、最終表示画面の上位階層の画面を特定する情報が初期表示画面管理テーブル５３に記憶されていた場合に、最終表示画面の上位階層の画面のうち、最終表示画面に最も近い階層の画面を利用可能と判断し、最終表示画面情報として設定して保持しておくようにしてもよい。
そして認証サーバでは、複合機１が次回ログインし、そのユーザの認証が成功したときに、保持しておいた最終表示画面情報を用いて初期表示画面として切り換える指示（初期モード設定情報）を複合機１に送信する（ステップＳ５４）。
【００９２】
このように、本発明に係る第４の実施例では、認証サーバ２は、複合機１のログアウト時に複合機１から通知された最終表示画面情報と、初期表示画面管理テーブル５３に記憶した情報とを比較し、最終表示画面を特定する情報がログイン時の初期表示画面を特定する情報として適しているか否かを判断する。そして判断手段によって、初期モード設定情報の最終表示画面が初期表示画面を特定する情報として適さないと判断した場合には、ログアウト時の最終表示画面を特定する情報ではなく、所定の条件に従う画面を表示するように複合機１に指示する。
【００９３】
上記の所定の条件に従う他の画面とは、予め定めた画面であってもよく、また、ログアウト時の最終表示画面を特定する情報が初期表示画面管理テーブル５３に記憶した情報に一致しない場合で、かつ、最終表示画面の上位階層の画面を特定する情報が初期表示画面管理テーブル５３に記憶されていた場合に、最終表示画面の上位階層の画面のうち、最終表示画面に最も近い階層の画面としてもよい。
【００９４】
これにより、本実施例では、複合機におけるログアウト時に複合機１から認証サーバ２に通知された最終表示画面が、初期表示画面として適さない場合、所定の画面もしくは最終表示画面にもっとも近い上位階層の画面を最終表示画面とし、複合機１の次回のログイン時にその最終表示画面に切り換える指示を行うようにすることで、より利便性を高めることができる。また、複数の異なる複合機を認証サーバで管理している場合であっても、システムとして統一的なポリシーを認証サーバ側で制御することができるようになる。
【００９５】
［実施例５］
上記の各実施例１〜４における処理を、複数の複合機１と認証サーバ２とが接続されたシステムにより実現することができる。つまり、認証サーバ２では、複数の複合機１のそれぞれについて、複合機１のログアウト時の最終表示画面情報を管理し、各複合機１に対して初期モード設定情報を送信することで、複数の複合機１を管理することができる。
【００９６】
ここでは、図１の構成の認証サーバ２に対して、ネットワークを介して複数の複合機１が接続された構成を考える。そして認証サーバ２のユーザ情報管理ＤＢ２６には、図７に示すような最終表示画面管理テーブル５２を複数の複合機１のそれぞれについて保持しておく。それぞれの最終表示画面テーブル５２では、ユーザＩＤ毎にその複合機１で前回ログアウトしたときに最後に表示していた画面の情報を記録する。
【００９７】
認証サーバ２では、複数の複合機１のうちのいずれかの複合機１からのログイン要求、つまり複合機の起動通知をうけると、その起動通知に含まれる複合機１の固有の機器情報を判別し、ユーザ情報管理ＤＢ２６に保持した複数の最終表示画面テーブル５２のなかから該当する最終表示画面テーブルを特定する。これにより、ログイン要求中の複合機１に対応する最終表示画面テーブル５２を用いて、その複合機１における初期表示画面の表示処理を実行することができる。特定した最終表示画面テーブル５２による初期表示画面の表示処理については、上記の実施例１〜４の処理を行うことができる。
【００９８】
［実施例６］
本実施例では、上記の各実施例１〜４の処理を、同一ユーザが同一機種の異なる複合機でログイン操作を行ったときにも実行できるようにする。
本実施例では、図７に示すような最終表示画面管理テーブルにおいて、さらにユーザＩＤ毎にそのユーザが前回ログアウトしたときの複合機１の機種情報を記憶させておく。機種情報としては、例えば複合機１の製品型番などを用いることができる。また、複合機１のログイン時に認証サーバ２に送信する起動通知において、起動通知に含まれる機器情報に対して、さらに機種情報を含めて送信するものとする。
【００９９】
認証サーバ２では、複合機１から送信された起動通知によりログイン処理を行う際に、起動通知の機器情報に含まれる機種情報を判別し、さらにログイン画面に入力されたユーザＩＤを取得して、認証サーバ２が保持している最終表示画面管理テーブルと比較する。そして、ログインユーザが前回ログアウト時に使用していた複合機１の機種情報と、今回のログイン時に使用している複合機１の機種情報とが一致した場合、その最終表示画面テーブルを使用して、複合機１の初期表示時画面の表示処理を行う。また、機種情報が一致しない場合には、予め用意した所定のデフォルト画面を複合機１で表示させる処理を行う。使用可能と判断した最終表示画面テーブル５２による初期表示画面の表示処理については、上記の実施例１〜４の処理を行うことができる。
【０１００】
上記のような処理により、ユーザが前回とは異なる複合機１を使用してログインを行った場合であっても、前回使用した複合機１と同一機種の複合機であれば、前回ログアウト時の最終表示画面に基づく初期表示画面を表示させることができる。
【０１０１】
［実施例７］
複合機１では、画像形成時の解像度等の各種の設定値が設定されている。このような複合機１の設定値を最終表示画面情報とともに記憶させておくことにより、次回ログイン時に、前回のログアウト時の設定値を取得して複合機１に設定させることができるようになる。
【０１０２】
ここでは、図７に示すような最終表示画面管理テーブルにおいて、さらにユーザＩＤ毎にそのユーザが前回ログアウトしたときの複合機１の設定値情報を記憶させておく。認証サーバ２では、複合機１から送信された起動通知によりログイン処理を行って、複合機１に対して初期モード設定情報を送信する処理を行う際に、最終表示画面管理テーブルに記録されている当該ユーザの前回の設定値があれば、その設定値を初期モード設定情報とともに複合機１に送信する。初期モード設定情報を受けた複合機１では、当該初期モード情報による最終表示画面の特定情報と、その表示を指示する情報とに従って最終表示画面を表示させるとともに、送信された設定値を使用して複合機１にその設定値を設定する。
【０１０３】
本実施例では、最終表示画面管理テーブルにユーザ毎に前回ログアウト時の複合機１の設定値を記憶させておくので、ユーザは、次回のログイン時に前回の設定値を用いて複合機１の各種の処理を容易に実行することができるようになる。
【符号の説明】
【０１０４】
１…複合機、２…認証サーバ、３…アプリケーションサーバ、１０…機器制御部、１１…操作部、１１ａ…入力部、１１ｂ…表示部、１３…画像形成部、１４…通信部、１７…機器制御部、２０…通信部、２１…アプリケーションソフト記憶部、２２…認証アプリケーション、２３…複合機管理部、２４…複合機制御部、２５…認証部、２６…ユーザ情報管理ＤＢ、２７…ユーザ情報管理データベース、３０…通信部、３１…アプリケーションソフト記憶部、３２…アプリケーション、４０…ログイン画面、４１…ログイン名入力部、４２…パスワード入力部、５０…ユーザ管理テーブル、５１…無効管理テーブル、５２…最終表示画面管理テーブル、５３…初期表示画面管理テーブル。
【図１】
2011049850.tif 000003
【図２】
2011049850.tif 000004
【図３】
2011049850.tif 000005
【図４】
2011049850.tif 000006
【図５】
2011049850.tif 000007
【図６】
2011049850.tif 000008
【図７】
2011049850.tif 000009
【図８】
2011049850.tif 000010
【図９】
2011049850.tif 000011
【図１０】
2011049850.tif 000012
【図１１】
2011049850.tif 000013
【図１２】
2011049850.tif 000014